(57)【要約】【課題】交換可能な防音パネルのコーナー部材を提供する。【解決手段】防音パネルのコーナー部材４０は、矩形状をなす防音パネル体５０の上部、下部及び両側部に設置された枠材の隅部に設けられる防音パネルのコーナー部材であって、枠材に着脱可能に設けられ、枠材は、防音パネル体５０の上部または下部に取り付けられ、第一方向に延びる第一材と、防音パネル体５０の両側部の一方に取り付けられ、第一方向と直交する第二方向に延びる第二材と、を備え、第一材に形成され第一方向に延びる第一挿入穴３１に挿入される第一挿入部４６Ａと、第二材に形成され第二方向に延びる第二挿入穴に挿入される第二挿入部４６Ｂと、を備えることを特徴とする。【選択図】図４
2018150699.tif 000002
【特許請求の範囲】
【請求項１】
矩形状をなす防音パネル体の上部、下部及び両側部に設置された枠材の隅部に設けられる防音パネルのコーナー部材であって、
前記枠材に着脱可能に設けられていることを特徴とする防音パネルのコーナー部材。
【請求項２】
前記枠材は、前記防音パネル体の上部または下部に取り付けられ、第一方向に延びる第一材と、前記防音パネル体の両側部の一方に取り付けられ、前記第一方向と直交する第二方向に延びる第二材と、を備え、
前記第一材に形成され前記第一方向に延びる第一挿入穴に挿入される第一挿入部と、前記第二材に形成され前記第二方向に延びる第二挿入穴に挿入される第二挿入部と、を備えることを特徴とする請求項１に記載の防音パネルのコーナー部材。
【請求項３】
前記第一挿入部及び前記第二挿入部は、それぞれ前記第一挿入穴及び前記第二挿入穴内でネジ固定されていることを特徴とする請求項２に記載の防音パネルのコーナー部材。
【請求項４】
前記第一材に形成され前記第二方向に凹む第一凹部に嵌合される第一嵌合部と、前記第二材に形成され前記第一方向に凹む第二凹部に嵌合される第二嵌合部と、を備えることを特徴とする請求項２または３に記載の防音パネルのコーナー部材。
【請求項５】
前記第一嵌合部及び前記第二嵌合部は、それぞれ前記第一凹部及び前記第二凹部内でネジ固定されていることを特徴とする請求項４に記載の防音パネルのコーナー部材。
【発明の詳細な説明】
【技術分野】
【０００１】
本発明は、防音パネルのコーナー部材に関するものである。
【背景技術】
【０００２】
従来から、建築現場では、作業者が作業や歩行等を行うために足場が設置され、足場の外側には建築現場の騒音防止等のため防音パネルが設置されている。例えば、四方枠状に形成された外枠の内部に、矩形状をなす有孔板や仕切板等のパネル体が納められた防音パネルが提案されている（下記特許文献１参照）。防音パネルは、工事が終了すると撤去されて、倉庫等で保管された後、次の建築現場で使用される。
【先行技術文献】
【特許文献】
【０００３】
【特許文献１】特開２００１−３５５２１０号公報
【発明の概要】
【発明が解決しようとする課題】
【０００４】
しかしながら、防音パネルは、繰り返し使用されると、床や地面等との接触等により、外枠のうち特に隅部が損傷、破壊しやすい。四方枠状の外枠全体を交換すると、コストが高くつき、非効率的であるという問題点がある。
【０００５】
そこで、本発明は、上記事情に鑑みてなされたものであり、交換可能な防音パネルのコーナー部材を提供する。
【課題を解決するための手段】
【０００６】
上記目的を達成するために、本発明は以下の手段を採用している。
すなわち、本発明に係る防音パネルのコーナー部材は、矩形状をなす防音パネル体の上部、下部及び両側部に設置された枠材の隅部に設けられる防音パネルのコーナー部材であって、前記枠材に着脱可能に設けられていることを特徴とする。
【０００７】
このように構成された防音パネルのコーナー部材では、枠材に着脱可能に設けられているため、枠材から取り外して交換することができる。
【０００８】
また、本発明に係る防音パネルのコーナー部材では、前記枠材は、前記防音パネル体の上部または下部に取り付けられ、第一方向に延びる第一材と、前記防音パネル体の両側部の一方に取り付けられ、前記第一方向と直交する第二方向に延びる第二材と、を備え、前記第一材に形成され前記第一方向に延びる第一挿入穴に挿入される第一挿入部と、前記第二材に形成され前記第二方向に延びる第二挿入穴に挿入される第二挿入部と、を備えていることが好ましい。
【０００９】
このように構成された防音パネルのコーナー部材では、第一挿入部は第一材に形成され第一方向に延びる第一挿入穴に挿入されるとともに、第二挿入部は第二材に形成され第二方向に延びる第二挿入穴に挿入されている。よって、防音パネルのコーナー部材は、第一材及び第一材と直交する第二材に挿入されることで、第一材及び第二材に装着されている。
【００１０】
また、本発明に係る防音パネルのコーナー部材では、前記第一挿入部及び前記第二挿入部は、それぞれ前記第一挿入穴及び前記第二挿入穴内でネジ固定されていてもよい。
【００１１】
このように構成された防音パネルのコーナー部材では、第一挿入部及び第二挿入部は、それぞれ第一挿入穴及び第二挿入穴内でネジ固定されているため、確実に装着することができるとともに、螺子を緩めることで取り外しが可能である。
【００１２】
また、本発明に係る防音パネルのコーナー部材は、前記第一材に形成され前記第二方向に凹む第一凹部に嵌合される第一嵌合部と、前記第二材に形成され前記第一方向に凹む第二凹部に嵌合される第二嵌合部と、を備えていてもよい。
【００１３】
このように構成された防音パネルのコーナー部材では、第一嵌合部は第一材に形成され第二方向に凹む第一凹部に嵌合されるとともに、第二嵌合部は第二材に形成され第一方向に凹む第二凹部に嵌合されている。よって、防音パネルのコーナー部材は、第一材及び第二材に嵌合されることで、第一材及び第二材に装着されている。
【００１４】
また、本発明に係る防音パネルのコーナー部材は、前記第一嵌合部及び前記第二嵌合部は、それぞれ前記第一凹部及び前記第二凹部内でネジ固定されていてもよい。
【００１５】
このように構成された防音パネルのコーナー部材では、第一嵌合部及び第二嵌合部は、それぞれ第一凹部及び第二凹部内でネジ固定されているため、確実に装着することができるとともに、螺子を緩めることで取り外しが可能である。
【発明の効果】
【００１６】
本発明に係る防音パネルのコーナー部材によれば、交換することができる。
【図面の簡単な説明】
【００１７】
【図１】本発明の一実施形態に係る防音パネルのコーナー部材が装着された防音パネルの設置例を示す正面図である。
【図２】本発明の一実施形態に係る防音パネルのコーナー部材が装着された防音パネルを建築物側から見た正面図である。
【図３】図２のＡ−Ａ線断面図である。
【図４】本発明の一実施形態に係る防音パネルのコーナー部材が防音パネルから取り外された状態の斜視図である。
【図５】本発明の一実施形態に係る防音パネルのコーナー部材の斜視図である。
【図６】本発明の一実施形態に係る防音パネルのコーナー部材を防音パネルから取り外す第一の方法を示す図である。
【図７】本発明の一実施形態に係る防音パネルのコーナー部材を防音パネルから取り外す第二の方法を示す図である。
【図８】本発明の一実施形態に係る防音パネルのコーナー部材を防音パネルから取り外す第三の方法を示す図である。
【発明を実施するための形態】
【００１８】
本発明の一実施形態に係る防音パネルのコーナー部材について、図面を用いて説明する。
図１は、本発明の一実施形態に係る防音パネルのコーナー部材が装着された防音パネルの設置例を示す正面図である。
図１に示すように、複数の防音パネル１は、不図示の建築物の外周に、建築物との間に隙間を有して設置されている。
【００１９】
建築物の外周に沿って、複数の足場パイプＰが水平方向に離間して複数設置されている。隣り合う足場パイプＰの間に、防音パネル１が設置されている。防音パネル１は上下方向に複数設置されている。
なお以下の説明において、上下方向と直交す防音パネル１に沿う方向を左右方向と称することがある。また、上下方向及び左右方向と直交する方向を板厚方向と称することができる。また、板厚方向のうちパネル体５０（図２参照）から建築物側に向かう方向を板厚方向の内側、内側と逆方向を板厚方向の外側と称することがある。
【００２０】
図２は、防音パネル１を建築物側から見た正面図である。図３は、図２のＡ−Ａ線断面図である。図４は、防音パネル１のコーナー部材４０の斜視図である。図５は、防音パネル１のコーナー部材４０の斜視図である。なお、図４においてパネル体５０を二点鎖線で示している。
図２に示すように、各防音パネル１は、パネル体（防音パネル体）５０と、枠材１０と、コーナー部材（防音パネルのコーナー部材）４０と、を備えている。
【００２１】
パネル体５０は、正面視略矩形状に形成されている。パネル体５０の外周には、枠材１０が設けられている。
【００２２】
枠材１０は、上下方向に離間して配置された上材２０Ａ及び下材２０Ｂと、左右方向に離間して配置された一対の縦材２０Ｃと、を有している。
上材２０Ａ、下材２０Ｂ及び縦材２０Ｃを、単に「直材２０」と称することがある。直材２０は、アルミ等の金属材料で構成されている。
【００２３】
各直材（第一材、第二材）２０は、一方向（上材２０Ａ及び下材２０Ｂなら左右方向、縦材２０Ｃなら上下方向）（第一方向、第二方向）に延びている。図４に示すように、直材２０は、外面部２１と、屋外壁部２２と、張出し部２３と、屋内壁部２４と、内面部２５と、を有している。
【００２４】
外面部２１は、パネル体５０の板厚方向の外側の面に沿って配置されている。屋外壁部２２は、外面部２１の端部から板厚方向の内側に向かって折曲されている。
【００２５】
張出し部２３は、屋外壁部２２の端部から外面部２１が屋外壁部２２の端部から折曲されている方向と反対側に延びている。屋内壁部２４は、張出し部２３の端部から板厚方向の内側に向かって折曲されている。内面部２５は、屋内壁部２４の端部から張出し部２３が折曲されている方向と同じ方向に折曲されている。
【００２６】
屋外壁部２２には、外面部２１が屋外壁部２２から折曲されている方向と同じ方向に延びる一対の穴形成壁部２６ａ，２６ｂが形成されている。穴形成壁部２６ａ，２６ｂは、板厚方向に離間して配置されている。穴形成壁部２６ａ，２６ｂのうち穴形成壁部２６ａの方が、板厚方向の外側に配置されている。穴形成壁部２６ａ，２６ｂの端部は、連結壁部２７で連結されている。
【００２７】
図３に示すように、屋外壁部２２、穴形成壁部２６ａ，２６ｂ及び連結壁部２７により、一方向に延びる挿入穴（第一挿入穴、第二挿入穴）３１が形成されている。
【００２８】
張出し部２３、屋内壁部２４及び内面部２５により、一方向に直交する断面視で略コ字状に形成された溝部（第一凹部、第二凹部）３２、換言するとパネル体５０と反対側に凹む溝部３２が形成されている。
【００２９】
外面部２１、屋外壁部２２及び穴形成壁部２６ａにより、一方向に直交する断面視で略コ字状に形成されたパネル挿入溝部３３が形成されている。
【００３０】
パネル挿入溝部３３には、パネル体５０の端部が嵌め込まれている。換言すると、パネル体５０の上部、下部及び左右両側それぞれに、直材２０が設けられている。
【００３１】
図４及び図５に示すように、コーナー部材４０は、パネル体５０の四隅に設置されている。各コーナー部材４０は、パネル体５０の隅に沿って配置され、正面視Ｌ字状をなしている。コーナー部材４０は、コーナー外面部４１と、コーナー屋外壁部４２と、コーナー張出し体４３と、を有している。コーナー外面部４１及びコーナー屋外壁部４２は、隣接する直材２０の外面部２１及び屋外壁部２２とそれぞれと同一平面上に配置されている。
【００３２】
コーナー外面部４１は、正面視Ｌ字状をなし、パネル体５０の板厚方向の外側の面に沿って配置されている。コーナー屋外壁部４２は、コーナー外面部４１の端部から板厚方向の内側に向かって折曲されている。
【００３３】
コーナー張出し体４３は、コーナー屋外壁部４２の端部からコーナー外面部４１がコーナー屋外壁部４２の端部から折曲されている方向と反対側に延びている。コーナー張出し体４３の外面４３ａ，４３ｂは、それぞれ直材２０の屋内壁部２４及び内面部２５と同一平面上に配置されている。
【００３４】
コーナー張出し体４３における直材２０と隣接する各端面には、隣接する直材２０の延在方向に沿って、隣接する直材２０側に突出する嵌合部（第一嵌合部、第二嵌合部）４４Ａ，４４Ｂが設けられている。嵌合部４４Ａ，４４Ｂの端面は、パネル体５０の板厚方向を長手方向とする長方形状をなしている。嵌合部４４Ａ，４４Ｂは、互いに直交する方向に延びている。
【００３５】
嵌合部４４Ａ，４４Ｂは、隣接する直材２０の溝部３２に挿入されている。屋内壁部２４に形成された取付孔２４ｘから挿通された螺子２４ｚは、嵌合部４４Ａ，４４Ｂに形成された取付孔４４ｘに螺合されている。
【００３６】
コーナー屋外壁部４２には、コーナー外面部４１がコーナー屋外壁部４２から折曲されている方向と同じ方向に突出する基部４５が設けられている。各基部４５における直材２０と隣接する各端面には、隣接する直材２０の延在方向に沿って、隣接する直材２０側に突出する挿入部（第一挿入部、第二挿入部）４６Ａ，４６Ｂが設けられている。挿入部４６Ａ，４６Ｂの端面は、パネル体５０の面に沿う方向を長手方向とする長方形状をなしている。挿入部４６Ａ，４６Ｂは、互いに直交する方向に延びている。
【００３７】
挿入部４６Ａ，４６Ｂは、隣接する直材２０の挿入穴３１に挿入されている。穴形成壁部２６ｂに形成された取付孔２６ｘから挿通された螺子２６ｚは、挿入部４６Ａ，４６Ｂに形成された取付孔４６ｘに螺合されている。
【００３８】
次に、上記のコーナー部材４０をパネル体５０から取り外す方法について説明する。
図２に示すようにパネル体５０に直材２０及びコーナー部材４０が取り付けられた状態から、４箇所のコーナー部材４０のうち図２の紙面上側且つ左側のコーナー部材４０Ａを取り外す方法を例に挙げて説明する。
【００３９】
図６に示すように、コーナー部材４０Ａにおいて、縦材２０Ｃ（図６に示す紙面左側の縦材２０Ｃ）に螺合されている螺子２４ｚ，２６ｚ（図４参照。以下同じ。）を外す。上材２０Ａの一端部側（コーナー部材４０Ａ側）を上方に移動させると、上材２０Ａは撓りつつ、コーナー部材４０Ａの挿入部４６Ａ及び嵌合部４４Ａが、縦材２０Ｃの挿入穴３１及び溝部３２から抜ける。これにより、コーナー部材４０は縦材２０Ｃから取り外される。さらに、コーナー部材４０Ａにおいて、上材２０Ａに螺合されている螺子２４ｚ，２６ｚを外して、コーナー部材４０Ａの挿入部４６Ｂ及び嵌合部４４Ｂを上材２０Ａの挿入穴３１及び溝部３２から引き抜けば、コーナー部材４０Ａは上材２０Ａから取り外される。
なお、コーナー部材４０Ａを交換して、新規のコーナー部材４０Ａを直材２０に取り付ける際には、上記手順を逆の順番で行えばよい。
【００４０】
また、図７に示すように、上材２０Ａ、上材２０Ａの両端部に取り付けられたコーナー部材４０Ａ，４０Ｂ及び一方の縦材２０Ｃ（図７に示す紙面右側の縦材２０Ｃ）をまとめて、パネル体５０等から取り外すこともできる。つまり、コーナー部材４０Ａにおいて、縦材２０Ｃ（図６に示す紙面左側の縦材２０Ｃ）に螺合されている螺子２４ｚ，２６ｚを外す。そして、縦材２０Ｃ（図６に示す紙面右側の縦材２０Ｃ）の下部に取り付けられているコーナー部材４０Ｃにおいて、縦材２０Ｃ（図６に示す紙面右側の縦材２０Ｃ）に螺合されている螺子２４ｚ，２６ｚを外す。そして、上材２０Ａ、コーナー部材４０Ａ，４０Ｂ及び縦材２０Ｃ（図６に示す紙面右側の縦材２０Ｃ）を、上方に移動させる。コーナー部材４０Ａ，４０Ｂのうち交換が必要な方において、上材２０Ａや縦材２０Ｃとの螺子２４ｚ，２６ｚの螺合を外して、引き抜けばよい。
【００４１】
また、図８に示すように、上材２０Ａ及び上材２０Ａの両端部に取り付けられたコーナー部材４０をまとめて、パネル体５０等から取り外すこともできる。つまり、上材２０Ａの両端部の各コーナー部材４０Ａ，４０Ｂにおいて、縦材２０Ｃに螺合されている螺子２４ｚ，２６ｚを外す。そして、上材２０Ａ及びコーナー部材４０Ａ，４０Ｂを、上方に移動させ、交換が必要なコーナー部材４０のみ上材２０Ａとの螺子２４ｚ，２６ｚの螺合を外して、引き抜けばよい。
【００４２】
このように構成された防音パネル１では、挿入部４６Ａ，４６Ｂは、互いに直交する直材２０に形成された挿入穴３１に挿入されている。また、嵌合部４４Ａ，４４Ｂは、互いに直交する直材２０に形成された溝部３２に嵌合されている。よって、防音パネル１のコーナー部材４０は、直交する方向に延びる挿入部４６Ａ，４６Ｂがそれぞれ直材２０の挿入穴３１に挿入されるとともに、直交する方向に延びる嵌合部４４Ａ，４４Ｂがそれぞれ直材２０の溝部３２に嵌合されることで、直材２０に装着されている。
【００４３】
また、挿入部４６Ａ，４６Ｂは、それぞれ挿入穴３１内でネジ固定されているため、確実に装着することができるとともに、螺子２６ｚを緩めることで取り外しが可能である。
【００４４】
また、嵌合部４４Ａ，４４Ｂは、それぞれ溝部３２内でネジ固定されているため、確実に装着することができるとともに、螺子２４ｚを緩めることで取り外しが可能である。
【００４５】
なお、上述した実施の形態において示した組立手順、あるいは各構成部材の諸形状や組み合わせ等は一例であって、本発明の主旨から逸脱しない範囲において設計要求等に基づき種々変更可能である。
【符号の説明】
【００４６】
１…防音パネル
１０…枠材（第一材、第二材）
２０Ａ…上材
２０Ｂ…下材
２０Ｃ…縦材
２０…直材
２１…外面部
２２…屋外壁部
２３…張出し部
２４…屋内壁部
２５…内面部
２６ａ，２６ｂ…穴形成壁部
２７…連結壁部
３１…挿入穴（第一挿入穴、第二挿入穴）
３２…溝部（第一凹部、第二凹部）
３３…パネル挿入溝部
４０…コーナー部材（防音パネルのコーナー部材）
４１…コーナー外面部
４２…コーナー屋外壁部
４３…コーナー張出し体
４４Ａ，４４Ｂ…嵌合部（第一嵌合部、第二嵌合部）
４５…基部
４６Ａ，４６Ｂ…挿入部（第一挿入部、第二挿入部）
５０…パネル体（防音パネル体）
Ｐ…足場パイプ
【図１】
2018150699.tif 000003
【図２】
2018150699.tif 000004
【図３】
2018150699.tif 000005
【図４】
2018150699.tif 000006
【図５】
2018150699.tif 000007
【図６】
2018150699.tif 000008
【図７】
2018150699.tif 000009
【図８】
2018150699.tif 000010